(57)【特許請求の範囲】
【請求項１】
コンピュータによって実行される方法であって、前記方法は、
１次パスワードを含み、第１のユーザによって起動される第１の抽出要求を受信するときに、１次パスワードに対応するオブジェクトセットを取得することと、
前記第１のユーザを前記オブジェクトセットにバインドすることと、
前記オブジェクトセットに対応する２次パスワードを生成することと、
前記２次パスワードを含む要求応答を前記第１のユーザに返送することと、
前記２次パスワードを含み、第２のユーザによって起動される第２の抽出要求を受信することと、
前記２次パスワードに従って、前記第２のユーザを前記２次パスワードに対応する前記オブジェクトセットにバインドすることによって前記第２の抽出要求を処理することと、
前記オブジェクトセットを前記第１のユーザに配信することと、
前記オブジェクトセットを前記第１のユーザから前記第２のユーザに配信することと
を含む、方法。
【請求項２】
前記２次パスワードは、前記第２のユーザに表示される、請求項１に記載の方法。
【請求項３】
前記オブジェクトセットを前記第１のユーザに前記配信することは、
プリセット数の第２のユーザによって起動される１つまたは複数の第２の抽出要求を処理した後に、前記第１のユーザ及び前記プリセット数の第２のユーザに前記オブジェクトセット内の１つまたは複数のオブジェクトを配信することを含む、請求項１に記載の方法。
【請求項４】
前記オブジェクトセットを前記第１のユーザに前記配信することは、
プリセット数の第２のユーザによって起動される１つまたは複数の第２の抽出要求を処理した後に、前記第１のユーザに前記オブジェクトセット内の１つまたは複数のオブジェクトを配信することを含む、請求項１に記載の方法。
【請求項５】
前記第２の抽出要求を前記処理することは、
前記２次パスワードを前記１次パスワードとして扱うことを含む、請求項１に記載の方法。
【請求項６】
前記第２の抽出要求を前記処理することは、
前記第２のユーザが前記オブジェクトセットにバインドされるとき、プリセット割合に従って前記オブジェクトセット内でオブジェクトの数を増加させることを含む、請求項１に記載の方法。
【請求項７】
前記第１のユーザを前記オブジェクトセットに前記バインドすることは、
前記１次パスワードに対応する１つまたは複数のオブジェクトセットグループであって、各オブジェクトセットグループは少なくとも１つのオブジェクトセットを含む、１つまたは複数のオブジェクトセットグループを決定することと、
予め規定された配信ルールに従ってオブジェクトセットグループを選択することと、
前記選択されたオブジェクトセットグループから、前記第１のユーザにバインドされたオブジェクトセットを選択することを含む、請求項１に記載の方法。
【請求項８】
前記オブジェクトセットグループは、電子形態のレッドエンベロープグループであり、
前記オブジェクトセットは、各エンベロープグループに含まれる電子形態の１つまたは複数のレッドエンベロープであり、
オブジェクトは、各レッドエンベロープ内の電子形態のマネーギフトである、請求項７に記載の方法。
【請求項９】
１つまたは複数のプロセッサと、
コンピュータ実行可能命令を格納する１つまたは複数のメモリと
を備えたデバイスであって、
前記コンピュータ実行可能命令は、前記１つまたは複数のプロセッサによって実行されると、
１次パスワードを含み、第１のユーザによって起動される第１の抽出要求を受信するときに、１次パスワードに対応するオブジェクトセットを取得する動作、
前記第１のユーザを前記オブジェクトセットにバインドする動作、
前記オブジェクトセットに対応する２次パスワードを生成する動作、
前記２次パスワードを含む要求応答を前記第１のユーザに返送する動作、
前記２次パスワードを含み、第２のユーザによって起動される第２の抽出要求を受信する動作、
前記２次パスワードに従って、前記第２のユーザを前記２次パスワードに対応する前記オブジェクトセットにバインドすることによって前記第２の抽出要求を処理する動作、
前記オブジェクトセットを前記第１のユーザに配信する動作、
前記オブジェクトセットを前記第１のユーザから前記第２のユーザに配信する動作
を前記１つまたは複数のプロセッサに実行させる、デバイス。
【請求項１０】
前記２次パスワードは、前記第２のユーザに表示される、請求項９に記載のデバイス。
【請求項１１】
前記オブジェクトセットを前記第１のユーザに前記配信することは、
プリセット数の第２のユーザによって起動される１つまたは複数の第２の抽出要求を処理した後に、前記第１のユーザ及び前記プリセット数の第２のユーザに前記オブジェクトセット内の１つまたは複数のオブジェクトを配信することを含む、請求項９に記載のデバイス。
【請求項１２】
前記オブジェクトセットを前記第１のユーザに前記配信することは、
プリセット数の第２のユーザによって起動される１つまたは複数の第２の抽出要求を処理した後に、前記第１のユーザに前記オブジェクトセット内の１つまたは複数のオブジェクトを配信することを含む、請求項９に記載のデバイス。
【請求項１３】
前記第２の抽出要求を前記処理することは、
前記２次パスワードを前記１次パスワードとして扱うことを含む、請求項９に記載のデバイス。
【請求項１４】
前記第２の抽出要求を前記処理することは、
前記第２のユーザが前記オブジェクトセットにバインドされるとき、プリセット割合に従って前記オブジェクトセット内でオブジェクトの数を増加させることを含む、請求項９
に記載のデバイス。
【請求項１５】
前記第１のユーザを前記オブジェクトセットに前記バインドすることは、
前記１次パスワードに対応する１つまたは複数のオブジェクトセットグループであって、各オブジェクトセットグループは少なくとも１つのオブジェクトセットを含む、１つまたは複数のオブジェクトセットグループを決定すること、
予め規定された配信ルールに従ってオブジェクトセットグループを選択すること、及び、
前記選択されたオブジェクトセットグループから、前記第１のユーザにバインドされたオブジェクトセットを選択することを含む、請求項９に記載のデバイス。
【請求項１６】
前記オブジェクトセットグループは、電子形態のレッドエンベロープグループであり、
前記オブジェクトセットは、各エンベロープグループに含まれる電子形態の１つまたは複数のレッドエンベロープであり、
オブジェクトは、各レッドエンベロープ内の電子形態のマネーギフトである、請求項１５に記載のデバイス。
【請求項１７】
コンピュータ実行可能命令を格納する１つまたは複数のメモリであって、
前記コンピュータ実行可能命令は、１つまたは複数のプロセッサによって実行されると、
１次パスワードを含み、第１のユーザによって起動される第１の抽出要求を受信するときに、１次パスワードに対応するオブジェクトセットを取得する動作、
前記第１のユーザを前記オブジェクトセットにバインドする動作、
前記オブジェクトセットに対応する２次パスワードを生成する動作、
前記２次パスワードを含む要求応答を前記第１のユーザに返送する動作、
前記２次パスワードを含み、第２のユーザによって起動される第２の抽出要求を受信する動作、
前記２次パスワードに従って、前記第２のユーザを前記２次パスワードに対応する前記オブジェクトセットにバインドすることによって前記第２の抽出要求を処理する動作、
前記オブジェクトセットを前記第１のユーザに配信する動作、
前記オブジェクトセットを前記第１のユーザから前記第２のユーザに配信する動作
を前記１つまたは複数のプロセッサに実行させる、１つまたは複数のメモリ。
【請求項１８】
前記オブジェクトセットは、電子形態の１つまたは複数のレッドエンベロープであり、
オブジェクトは、各レッドエンベロープ内の電子形態のマネーギフトである、請求項１７に記載の１つまたは複数のメモリ。
【発明の詳細な説明】
【技術分野】
【０００１】
本開示は、サービス実装技術の分野に関し、より詳細には、サービス実装方法及び装置に関する。
【０００２】
関連特許出願の相互参照
本出願は、参照によりその全体が組込まれる、「Ｍｅｔｈｏｄ  ａｎｄ  Ａｐｐａｒａｔｕｓ  ｆｏｒ  Ｓｅｒｖｉｃｅ  Ｉｍｐｌｅｍｅｎｔａｔｉｏｎ」という名称の２０１５年２月９日に出願された中国特許出願第２０１５１００６８０８０．９号に対する外国優先権を主張する。
【背景技術】
【０００３】
ネットワーク技術が進展するにつれて、いろいろなサービス実装方法が出現する。例えば、中国のレッドエンベロープは、マネー、グリーティングカード、またはギフトカードを含み、人は、レッドエンベロープを、最上の敬意の気持ちをこめて別の人に渡す。例として「レッドエンベロープ（ｒｅｄ  ｅｎｖｅｌｏｐｅ）」の形態の仮想アイテムインタラクションを使用することによって、ユーザは、電子的グリーティングカード、マネーギフト等を、電子形態の「レッドエンベロープ」に入れ、各配信オブジェクトを指定し、それにより、「レッドエンベロープ」の配信を実装してもよい。例えば、レッドエンベロープは、エンベロープのアイコンとして示されてもよく、ユーザがアイコンをクリックする場合、電子的ギフトが表示されることになる。
【０００４】
しかし、従来のサービス実装のプロセスにおいて、サービスオブジェクトに関して、サービスイニシエータとサービスレシーバとの間の通信は、一般に、サービスアドレス（例えば、ＵＲＬ）またはサービスアドレスを含む２次元情報に基づいて実施されるため、サービス実装プロセスが複雑になる。
【発明の概要】
【０００５】
本要約は、詳細な説明において以下で更に述べる、簡略化した形態で概念の選択を導入するために提供される。本要約は、特許請求される主題の全ての重要な特徴または本質的な特徴を特定することを意図せず、特許請求される主題の範囲を決定するときの補助として単独で使用されることも意図しない。例えば、用語「技法（複数可）または技術的解決策（複数可）（ｔｅｃｈｎｉｑｕｅ（ｓ）  ｏｒ  ｔｅｃｈｎｉｃａｌ  ｓｏｌｕｔｉｏｎ（ｓ））」は、上記文脈によってまた本開示を通して許可される装置（複数可）、システム（複数可）、方法（複数可）、及び／またはコンピュータ可読命令を指してもよい。
【０００６】
本開示は、サービス実装プロセスを簡略化する例示的なサービス実装方法及び装置を提供する。上記目的を実装するため、本開示は、以下の技術的解決策を提供する：
【０００７】
本開示の第１の態様によれば、例示的なサービス実装方法が提供され、方法は、
１次パスワードを含み、第１のユーザによって起動される第１の抽出要求が受信されると、１次パスワードに対応するオブジェクトセットを採取し、第１のユーザをオブジェクトセットにバインドすること、
オブジェクトセットに対応する２次パスワードを生成し、第１のユーザが２次パスワードを別のユーザに表示するように、２次パスワードを含む要求応答を第１のユーザに返送すること、及び、
２次パスワードを含み、第２のユーザによって起動される第２の抽出要求が受信されると、第２の抽出要求の処理結果に従って、オブジェクトセットを第１のユーザに配信することを含む。
【０００８】
本開示の第２の態様によれば、例示的なサービス実装装置が提供され、装置は、
１次パスワードを含み、第１のユーザによって起動される第１の抽出要求が受信されると、１次パスワードに対応するオブジェクトセットを採取し、第１のユーザをオブジェクトセットにバインドする１次パスワード処理ユニットと、
オブジェクトセットに対応する２次パスワードを生成し、第１のユーザが２次パスワードを別のユーザに表示するように、２次パスワードを含む要求応答を第１のユーザに返送する要求応答ユニットと、
２次パスワードを含み、第２のユーザによって起動される第２の抽出要求が受信されると、第２の抽出要求の処理結果に従って、オブジェクトセットを第１のユーザに配信することに関する処理を実施する２次パスワード処理ユニットとを含む。
【０００９】
先の技術的解決策から示されるように、本開示は、パスワードによってサービスを実装し、各ユーザは１次パスワードを使用し、より多くのユーザが２次パスワードを使用することによってサービスに入るように導入し、それにより、サービスオブジェクトの拡張を実装し、データインタラクションの量を増加させ、インタラクション効率を改善してもよい。一方、サービス実装プロセスが簡単であり、サービスは、サービス実装用のインタフェースとしてパスワードを使用することのみによって実装されてもよい。
【図面の簡単な説明】
【００１０】
【図１】関連技法におけるアプリケーションシナリオの略図である。
【図２】関連技法におけるサービス実装の略図である。
【図３】本開示の例示的な実施形態による例示的なサービス実装方法のフローチャートである。
【図４】本開示の例示的な実施形態による別の例示的なサービス実装方法のフローチャートである。
【図５】本開示の例示的な実施形態による例示的なサービスオブジェクト拡張の略図である。
【図６】本開示の例示的な実施形態による別の例示的なサービスオブジェクト拡張の略図である。
【図７】本開示の例示的な実施形態による例示的な電子デバイスの略構造図である。
【図８】本開示の例示的な実施形態による例示的なサービス実装装置のブロック図である。
【発明を実施するための形態】
【００１１】
図１は、サービス実装におけるシナリオの略図である。本開示の実施形態の技術的解決策において、関連サービスは、例えば、「レッドエンベロープ（ｒｅｄ  ｅｎｖｅｌｏｐｅ）」配信サービス、「クーポン（ｃｏｕｐｏｎ）」配信サービス等を実装する、異なるユーザの間で実装されてもよい。レッドエンベロープ配信サービスは、ユーザが、レッドエンベロープを配信することによって彼／彼女自身の資金または他の仮想アイテムを他のユーザに与えるサービスを特に指してもよい。従来の技法において、関連サービスが実装されると、サービスイニシエータユーザが正確なサービスレシーバユーザを知っていることが一般に要求される。更に、ＵＲＬアドレスが一般に生成される必要がある、または、ＵＲＬを含む２次元コードが、サービスレシーバユーザに通知するために生成され、実装プロセスは非常に複雑である。例えば、図１に示すシナリオにおいて、ユーザＡが、例えば「レッドエンベロープ」配信サービスを使用することによって、ユーザＢ、ユーザＣ等とのデータインタラクションを実装することを意図する場合、ユーザＡは、ユーザＢ、ユーザＣ等を１つずつターゲットオブジェクトとして指定しなければならず、大量のユーザＡの時間リソースが、ユーザの数が大きいときに消費されることになる。同時に、ユーザＢ、ユーザＣ等に対するユーザＡの指定は、ユーザＢ、ユーザＣ等がユーザＡの関連ユーザであるという前提に基づく。例えば、ユーザＢ、ユーザＣ等は、「友人（ｆｒｉｅｎｄ）」等としてユーザＡの連絡先等に記録される必要がある。一方、このプロセスにおいて、サービスレシーバユーザ、例えば、ユーザＢ及びユーザＣは、更に、ユーザＡによって起動されるサービスのＵＲＬまたは２次元コード等のサービスリンクに従って、対応するサービスにアクセスしそれを実装する必要がある。したがって、サービス実装プロセスは、比較的複雑である。
【００１２】
本開示は、ネットワークを介して実装されてもよいレッドエンベロープサービスまたは他のサービス等の関連サービスを、簡略化された方法で実装する例示的なサービス実装方法及び装置を提供する。
【００１３】
本開示の例示的な実施形態において、関連サービスはパスワードに基づいて実装されてもよい。例えば、図２に示すように、サービス実装プロセスにおいて、「パスワード（ｐａｓｓｗｏｒｄ）」は、媒体として使用されまたはサービスインタフェースとして使用され、それにより、ユーザＡとユーザＢとの間のインタラクションを実装してもよい。例えば、ユーザＡがサーバに対する要求を起動した後、サーバは、インタラクションを要求するオブジェクトについて関連パスワードを生成し、そのパスワードをユーザに送出する；ユーザＡは、直接送信、ソーシャルネットワーキングプラットフォーム上での共有、または口述等、任意の方法でユーザＢにパスワードを表示してもよい。その後、ユーザＢが、サーバに対するパスワードを含む要求を起動すると、関連インタラクションオブジェクトが取得されてもよい。
【００１４】
図示するように、パスワードに基づくサービス実装プロセスにおいて、インタラクションプロセスはより単純でかつより柔軟性がある。しかし、ユーザＡのみが、パスワード送信を実行することは、或る状況において制限される。例えば、より多くのユーザが参加することを必要とするサービスに関して、パスワードを送信するようユーザＡに要求することのみは簡単であるが、パスワードを受信するユーザの数の増加は緩やかであり、そのことは、サービス実装にとって有利ではない。したがって、パスワードに基づいてサービスを実装するプロセスにおいて、本開示で提供されるサービス実装方法及び装置は、２次パスワードを使用することによって、サービスオブジェクトの拡張速度及び範囲を更に改善する。
【００１５】
図３は、本開示の例示的な実施形態による例示的なサービス実装方法のフローチャートであり、図３に示すように、方法は、サーバに適用され、また、以下のオペレーションを含んでもよい：
３０２にて：１次パスワードを含み、第１のユーザによって起動される第１の抽出要求が受信されると、１次パスワードに対応するオブジェクトセットが採取され、第１のユーザがオブジェクトセットにバインドされる。
【００１６】
この例示的な実施形態において、オブジェクトは、任意の形態のインタラクションデータであってよい。例えば、オブジェクトは、クーポン、電子的グリーティングカード、及びマネーギフト等の仮想アイテムであってよい。相応して、オブジェクトセットは仮想アイテムのセットであってよい。異なるサービス実装に関して、仮想オブジェクトが対応するサービスに対応することが理解される場合がある。例えば、支払サービスにおいて、プリセットオブジェクトが見出されてもよい。商人が、商品アクティビティサービスを起動すると、プリセットオブジェクトは、クーポン等であってよい。
【００１７】
この例示的な実施形態において、１次パスワードに対応するオブジェクトセットグループが、最初に決定されてもよく、各オブジェクトセットグループは少なくとも１つのオブジェクトセットを含む。その後、オブジェクトセットグループは、予め規定された配信ルールに従って選択され、第１のユーザにバインドされたオブジェクトセットが、選択されたオブジェクトセットグループから選択される。
【００１８】
この例示的な実施形態において、１次パスワードまたは２次パスワードは、文字列の形態であってよく、文字列は１ビットまたは複数ビットの文字を含んでもよく、文字の各ビットは、数字、アルファベット文字、中国文字、またはシンボル等の任意の形態であってよい。１次パスワードまたは２次パスワードに含まれる文字の数及び文字の組合せは、実際の要件または構成解決策に従って決定されてもよい。
【００１９】
３０４にて：オブジェクトセットに対応する２次パスワードが生成され、２次パスワードを含む要求応答が、第１のユーザのクライアント端末に返送されるため、第１のユーザのクライアント端末は、２次パスワードを別のユーザに表示する。
【００２０】
例えば、要求応答は、２次パスワードを直接含んでもよく、第１のユーザは、要求応答から、２次パスワードを構成する文字列を直接採取してもよい。
【００２１】
別の例の場合、要求応答は、２次パスワードを採取するために使用されるリンクを含んでもよく、この場合、それは、２次パスワードが要求応答内に間接的に含まれることと同等である。その後、第１のユーザは、リンクにアクセスして、対応する２次パスワードを採取し、２次パスワードを構成する文字列を採取してもよい。
【００２２】
更に別の例の場合、２次パスワードを含む表示映像が生成されてもよく、また、表示映像は、要求応答に含まれてもよい。確かに、２次パスワードの採取された文字列に基づいて、第１のユーザのデバイスは、別のユーザに表示するため、対応する表示映像を自発的に生成してもよい。
【００２３】
３０６にて：２次パスワードを含み、第２のユーザのクライアント端末によって起動される第２の抽出要求が受信されると、オブジェクトセットを第１のユーザに配信するためのプロセスが、第２の抽出要求の処理結果に従って実施される。
【００２４】
この例示的な実施形態において、第２のユーザは、第１のユーザと異なる「別のユーザ（ａｎｏｔｈｅｒ  ｕｓｅｒ）」を指し、１人または複数人の「他のユーザ（ｏｔｈｅｒ  ｕｓｅｒ）」を示してもよい。
【００２５】
この例示的な実施形態において、第１のユーザに対するオブジェクトセットの配信プロセスを第２の抽出要求の処理結果に関連付けることによって、第１のユーザは、２次パスワードの送信及び表示により多くの注意を払い、それにより、サービスオブジェクトの拡張に役立つことになる
【００２６】
この例示的な実施形態において、プリセット数の第２のユーザについて起動される第２の抽出要求が全て処理されると、オブジェクトセット内のオブジェクトは、第１のユーザ及びプリセット数の第２のユーザに配信される。代替的に、プリセット数の第２のユーザについて起動される第２の抽出要求が全て処理されると、オブジェクトセット内のオブジェクトは、第１のユーザに配信される。
【００２７】
この例示的な実施形態において、第２の抽出要求の処理は、第２の抽出要求に含まれる２次パスワードに従って、第２のユーザを２次パスワードに対応するオブジェクトセットにバインドすることを含んでもよい。それぞれの第２のユーザがオブジェクトセットにバインドされると、オブジェクトセット内のオブジェクトの数は、プリセット割合に従って増加されてもよい。代替的に、第２の抽出要求の処理は、第２の抽出要求において２次パスワードを１次パスワードとして処理することを含んでもよい。
【００２８】
本開示に基づく技術的解決策に関与する複数のパーティは、図４を参照して詳細に述べられる。図４は、本開示の例示的な実施形態による別の例示的なサービス実装方法のフローチャートであり、図４に示すように、方法は、以下のステップを含んでもよい：
４０２にて：プラットフォーム及びサーバはサービス交渉を実施する。
【００２９】
この例示的な実施形態において、「プラットフォーム（ｐｌａｔｆｏｒｍ）」は、オブジェクトセットを提供する任意のアカウントであり、また、それは、パーソナルアカウント、例えばユーザｘであってよい、または、それは、同様に、「ＸＸテレビ局（ＸＸ  ｔｅｌｅｖｉｓｉｏｎ  ｓｔａｔｉｏｎ）」等のエンタープライズアカウントであってよい。
【００３０】
この例示的な実施形態において、プラットフォーム及びサーバが交渉を実施するとき、交渉コンテンツは、以下のコンテンツ：オブジェクトセットグループの数、各オブジェクトセットグループに含まれるオブジェクトセットの数、各オブジェクトセットに含まれるオブジェクトの数、並びに、オブジェクトセットグループ、オブジェクトセット、またはオブジェクトの配信ルールを含んでもよい。プラットフォームは、上記コンテンツを交渉メッセージに付加し、そのメッセージをサーバに送信して、通知を実装してもよい。
【００３１】
４０４にて：サーバは、交渉結果に従って、オブジェクトセットグループ及びオブジェクトセットグループに関連付けられた１次パスワードを決定する。
【００３２】
この例示的な実施形態において、「レッドエンベロープ」の配信は、例として使用される。オブジェクトセットグループは、電子形態の、ギフトセットのグループ等の電子アイテムセットのグループである。例えば、オブジェクトグループは、「レッドエンベロープグループ（ｒｅｄ  ｅｎｖｅｌｏｐｅ  ｇｒｏｕｐ）」である。オブジェクトセットは、電子形態の、ギフトセット等の電子アイテムセットのグループに含まれる電子アイテムセットである。例えば、ギフトセットは、各「レッドエンベロープグループ」に含まれる「レッドエンベロープ」である。オブジェクトは、電子形態の、ギフト等の電子アイテムセットに含まれる電子アイテムである。例えば、オブジェクトは、各「レッドエンベロープ」内の電子形態のギフトカードまたはマネーギフトである。
【００３３】
この例示的な実施形態において、オブジェクトセットグループと１次パスワードの関連付けが実装されると、１次パスワードは、オブジェクトセットグループの一部または全てに関連付けられてもよい。交渉結果において、関連付け方法が規定されてもよい。
【００３４】
４０６にて：サーバは、１次パスワードをプラットフォームに返送する。
【００３５】
４０８にて：プラットフォームは１次パスワードをユーザに表示する。ユーザＡが１次パスワードを採取することが仮定される。
【００３６】
この例示的な実施形態において、プラットフォームは、テレビプログラム、ラジオプログラム、及びビデオウェブサイト等のチャネルを通した、ビデオ再生、サウンドブロードキャスティング、及びプレゼンター口述等の種々の方法で、ユーザに１次パスワードを表示してもよい。代替的に、プラットフォームは、同様に、ショートメッセージをユーザに送信すること、及び、ソーシャルネットワーキングプラットフォーム上で共有すること等の種々の方法でユーザに１次パスワードを表示してもよい。
【００３７】
この例示的な実施形態において、１次パスワードは、或るライフサイクル、例えば、５分を有してもよく、ライフサイクルが終了した後、サーバは、１次パスワードとオブジェクトセットグループとの間の関連付け関係を削除し、１次パスワードをリサイクルしてもよい。サーバは、リサイクルデータベース内にリサイクルされる１次パスワードを記憶してもよく、また、１次パスワードは、使用するために、リサイクルデータベースから直接選択され、それにより、１次パスワードを生成するプロセスを省略してもよい。
【００３８】
４１０にて：ユーザＡのクライアント端末は、第１の抽出要求をサーバに送信し、第１の抽出要求は１次パスワードを含む。
【００３９】
４１２にて：サーバは、１次パスワードに対応するオブジェクトセットグループを採取し、ユーザＡを、そのオブジェクトセットグループ内のオブジェクトにバインドし、オブジェクトセットに関連付けられる２次パスワードを更に生成する。
【００４０】
この例示的な実施形態において、１次パスワードが１つのオブジェクトセットグループのみに対応し、オブジェクトセットグループが１つのオブジェクトセットのみを含むとき、オブジェクトセットはユーザＡに直接バインドされる。１次パスワードが複数のオブジェクトセットグループに対応する、または、１つの対応するオブジェクトセットグループが複数のオブジェクトセットを含むとき、１つまたは複数のオブジェクトセットが、予め規定された配信ルールに従ってオブジェクトセットグループから選択されて、ユーザＡにバインドされてもよい。
【００４１】
４１４にて：サーバは、２次パスワードを含む要求応答をユーザＡに返送する。
【００４２】
この例示的な実施形態において、２次パスワードは文字列であってよく、文字列は、１ビットまたは複数ビットの文字を含んでもよく、文字の各ビットは、数字、アルファベット文字、中国文字、またはシンボル等の任意の形態であってよい。確かに、２次パスワードは、パスワードの一意性を保証するため、１次パスワードと異なるべきである。そして、サーバは、要求応答内に２次パスワードの文字列を直接含み、その要求応答をユーザＡに送信してもよい。代替的に、サーバは、２次パスワードを含む表示映像を生成し、表示映像をユーザＡに送信してもよい。
【００４３】
表示映像が生成されると、サーバは、予め規定された固定テンプレートに基づいて表示映像を静的に生成してもよい。代替的に、複数のテンプレートは、予め規定されてもよく、サーバは、目下の２次パスワードに対応するテンプレートＩＤを生成し、テンプレートＩＤに対応する映像属性テンプレートを採取し、それにより、映像属性テンプレートに従って表示映像を動的に生成してもよい。映像属性テンプレートは、背景映像、背景色、テキスト色、テキストサイズ、及びスタイルタイプ等の種々の属性の間の任意の組合せを含んで、いろいろなスタイルの表示映像を保証してもよく、したがって、対応するルールは、容易に捕捉されない可能性がある。
【００４４】
確かに、ユーザＡによって使用されるクライアント端末が、サーバによって返送される２次パスワードを受信すると、表示映像は、同様に、クライアント端末によってローカルに生成されてもよく、また、生成方法は、サーバの生成方法と類似し（要求される映像属性テンプレートがローカルに記憶されていない場合、そのテンプレートはサーバからダウンロードされるべきである）、それは、本明細書で繰返されない。
【００４５】
４１６にて：ユーザＡのクライアント端末は、２次パスワードを別のユーザに表示し、また、ユーザＢが２次パスワードを採取することが仮定される。
【００４６】
この例示的な実施形態において、「表示映像」は、例として使用される。ユーザＡは、表示映像をローカルに記憶し、ソーシャルアプリケーションを使用することによってソーシャルネットワーキングプラットフォームに対して表示映像を共有してもよいため、ユーザＢは、ソーシャルネットワーキングプラットフォームから、ユーザＡによって共有される表示映像内で抽出パスワードを観察する。
【００４７】
確かに、ユーザＡは、他の方法で、抽出パスワードの表示を更に実装してもよい。例えば、ユーザＡは、インスタントメッセージングを使用して等で、ユーザＢに表示映像を直接送信してもよい。代替的に、ユーザＡは、口述またはブロードキャスティング等の任意の方法で抽出パスワードをユーザＢに更に通知してもよい。
【００４８】
４１８にて：ユーザＢのクライアント端末は、第２の抽出要求をサーバに送信し、第２の抽出要求は２次パスワードを含む。
【００４９】
４２０にて：サーバは、ユーザＢを、２次パスワードに関連付けられたオブジェクトセットにバインドする。
【００５０】
４２２にて：サーバは、プリセット条件が満たされたかどうかを判定する。
【００５１】
この例示的な実施形態において、プリセット条件は、種々の形態を有してもよい。プリセット条件の異なる文脈によれば、サーバは、異なる対応する処理方法を有してもよい。幾つかの例示的なプリセット条件が以下で述べられる。本開示は、プリセット条件に制限を課さない。
【００５２】
例示的な実施形態において、プリセット条件は：終了した第２の抽出応答に対応するユーザの数の統計情報を作成すること、及び、ユーザの数がプリセット数に達することであってよい。サーバは、第２の抽出要求を受信し、処理を終了するたびに、ユーザの数の統計情報を作成する必要があり、また、ユーザの数がプリセット数に達したかどうかを判定する。例えば、４２０にて、サーバがユーザＢをオブジェクトセットにバインドした後に、ユーザＢによって起動された第２の抽出要求が処理されたと考えられ、その後、サーバは、ユーザの数の統計情報を作成し、ユーザの数がプリセット条件を満たすかどうかを判定する。
【００５３】
別の例示的な実施形態において、２次パスワードに対応するオブジェクトセット内のオブジェクトの数は、オブジェクトセットにバインドされるユーザの数の増加に伴って増加し、また、プリセット条件は：２次パスワードに対応するオブジェクトの数がプリセット数に達することであってよい。したがって、４２０にて、サーバがユーザＢをオブジェクトセットにバインドし、オブジェクトの数が調整された後に、ユーザＢによって起動された第２の抽出要求が処理されたと考えられ、その後、サーバは、ユーザの数の統計情報を作成し、ユーザの数がプリセット条件を満たすかどうかを判定する。
【００５４】
４２４Ａにて：サーバは、オブジェクトセットをユーザＡに配信する。
【００５５】
この実施形態において、プリセット条件が満たされると、サーバは、オブジェクトセット内のオブジェクトをユーザＡに配信するだけであってよい。オブジェクトの配信ルールは、種々の形態を有してよい。例示的な実施形態として、サーバは、プリセット割合に従って、オブジェクトセットに対応するプリセットオブジェクトをユーザＡに配信してもよい。プリセット割合は、予め規定された配信割合、例えば１００％であってよい。代替的に、プリセット割合は、リアルタイムに生成されるランダム割合であってよく、ランダム割合は、０と１００％との間の任意の値であってよい。
【００５６】
４２４Ｂにて：サーバは、オブジェクトセットを、ユーザＢ等の第２の抽出要求を起動する全てのユーザに配信する。
【００５７】
この例示的な実施形態において、プリセット条件が満たされると、サーバは、同様に、オブジェクトセット内のオブジェクトを、ユーザＡ及びユーザＢ等の第２の抽出要求を起動する全てのユーザに配信してもよい。配信ルールは、予め規定された配信割合またはリアルタイムに生成されるランダム割合を使用してよいが、全てのユーザに対応する配信割合の和は１００％以下であるべきである。
【００５８】
先の例示的な実施形態において、プラットフォーム−ユーザＡｎ−ユーザＢｎのマルチレベルサービス送信は、１次パスワード及び２次パスワードの組合せに基づいて実装される。図５に示すように、プラットフォーム５００は、１次パスワード５０４によって、ユーザ５０２（Ａ１）からユーザ５０２（Ａｎ）までのｎのユーザに直接拡張し、また、各ユーザＡｉ（１≦ｉ≦ｎ）は、ユーザＡ１が、２次パスワード５０８によってサービスをユーザ５０６（Ｂ１）、５０６（Ｂ２）、…、５０６（Ｂｍ）に拡張するように拡張を更に行ってもよいため、サービスオブジェクトの数は指数関数的に増加する。Ｍ及びｎは任意の整数であってよい。
【００５９】
更に、ユーザ及びより多くのレベルを有するパスワード構造が更に使用されて、数及び効率の増大を実装してもよい。図６に示すように、例としてユーザ５０６（Ｂ１）を使用することによって、対応する３次パスワード６０２が、ユーザ５０６（Ｂ１）について生成されてもよく、ユーザ６０４（Ｂ１１）、６０４（Ｂ１２）、…、６０４（Ｂ１ｑ）のユーザが、３次パスワードを表示するユーザＢ１のクライアント端末によるサービスについて取得される。ｑは任意の整数であってよい。例えば、図４に示す４２２にて、プリセット条件が満たされないと判定される場合、ユーザＢに送信される２次パスワードが１次パスワードとして使用されてもよく、４１０から４１６のオペレーションと類似のオペレーションを処理することによって、ユーザＢは、次のレベルのユーザ拡張を実装してもよい。例えば、「２次パスワード（ｓｅｃｏｎｄａｒｙ  ｐａｓｓｗｏｒｄ）」が、第１のレベルの２次パスワードとして使用され、「３次パスワード（ｔｈｉｒｄ  ｐａｓｓｗｏｒｄ）」が、第２のレベルの２次パスワードとして使用される場合、本開示の方法は：
クライアント端末を通してユーザによって起動される抽出要求が第ｎのレベルの２次パスワードを含むとき、第ｎのレベルの２次パスワードに対応するオブジェクトセットをユーザにバインドすること、及び、
ユーザにバインドされたオブジェクトセットがプリセット条件を満たす場合、オブジェクトセットを配信すること；そうでなければ、ユーザが第（ｎ＋１）のレベルの２次パスワードを別のユーザに表示するように、オブジェクトセットに対応する第（ｎ＋１）のレベルの２次パスワードを生成し、第（ｎ＋１）のレベルの２次パスワードを含む要求応答をユーザに返信すること
を更に含んでもよい。ここで、ｎ≧１である。
【００６０】
図７は、本開示の例示的な実施形態による例示的な電子デバイス７００の略構造図である。図７を参照すると、ハードウェアレベルで、電子デバイス７００は、１つもしくは複数のプロセッサ７０２または処理ユニット、内部バス７０４、ネットワークインタフェース７０６、１つもしくは複数の内部メモリ７０８、及び１つまたは複数の不揮発性記憶デバイス７１０を含み、また確かに、他のサービスによって要求されるハードウェアを更に含んでもよい。プロセッサ７０２は、不揮発性記憶デバイス７１０から内部メモリ７０８に、対応するコンピュータプログラムまたはコンピュータ可読命令を読込み、コンピュータプログラムを実行し、それにより、ロジックレベルでサービス実装装置７１２を形成する。確かに、ソフトウェア実装方法に加えて、本開示は、ロジックデバイスまたはソフトウェア及びハードウェアの組合せ等の他の実装方法を排除しない。換言すれば、以下の処理プロセスの実行エンティティは、種々のロジックユニットに限定されず、また同様に、ハードウェアまたはロジックデバイスであってよい。
【００６１】
図８を参照すると、ソフトウェア実装方法において、サービス実装装置７１２は、内部メモリ７０８及び／または不揮発性記憶デバイス７１０に記憶される、１次パスワード処理ユニット８０２、要求応答ユニット８０４、及び２次パスワード処理ユニット８０６を含んでもよい。
【００６２】
１次パスワード処理ユニット８０２は、１次パスワードを含み、第１のユーザによって起動される第１の抽出要求が受信されると、１次パスワードに対応するオブジェクトセットを採取し、第１のユーザをオブジェクトセットにバインドする。
【００６３】
要求応答ユニット８０４は、オブジェクトセットに対応する２次パスワードを生成し、第１のユーザが２次パスワードを別のユーザに表示するように、２次パスワードを含む要求応答を第１のユーザに返送する。
【００６４】
２次パスワード処理ユニット８０６は、２次パスワードを含み、第２のユーザによって起動される第２の抽出要求が受信されると、第２の抽出要求の処理結果に従って、オブジェクトセットを第１のユーザに配信するためのプロセスを実施する。
【００６５】
任意選択で、２次パスワード処理ユニット８０６は、更に、
プリセット数の第２のユーザについて起動される第２の抽出要求が全て処理されると、第１のユーザ及びプリセット数の第２のユーザにオブジェクトセット内のオブジェクトを配信してもよい、または、
プリセット数の第２のユーザについて起動される第２の抽出要求が全て処理されると、第１のユーザにオブジェクトセット内のオブジェクトを配信してもよい。
【００６６】
任意選択で、２次パスワード処理ユニット８０６は、以下の方法において第２の抽出要求を処理する。以下の方法は、
第２の抽出要求に含まれる２次パスワードに従って、第２のユーザを２次パスワードに対応するオブジェクトセットにバインドすること、または、
第２の抽出要求内の２次パスワードを１次パスワードとして処理することを含む。
【００６７】
任意選択で、サービス実装装置７１２は、幾つかの調整ユニット８０８を更に含んでもよく、調整ユニット８０８は、それぞれの第２のユーザがオブジェクトセットにバインドされるとき、プリセット割合に従ってオブジェクトセット内でオブジェクトの数を増加させる。
【００６８】
任意選択で、１次パスワード処理ユニット８０２は、以下の方法で第１のユーザをオブジェクトセットにバインドしてもよい。以下の方法は、
１次パスワードに対応するオブジェクトセットグループであって、各オブジェクトセットグループが少なくとも１つのオブジェクトセットを含む、オブジェクトセットグループを決定すること、
予め規定された配信ルールに従ってオブジェクトセットグループを選択すること、及び、
選択されたオブジェクトセットグループから、第１のユーザにバインドされたオブジェクトセットを選択することを含む。
【００６９】
典型的な構成において、プラットフォーム、サーバ、またはクライアント端子等のコンピューティングデバイスは、１つまたは複数のプロセッサ（ＣＰＵ）、入力／出力インタフェース、ネットワークインタフェース、及びメモリを含む。
【００７０】
メモリは、揮発性メモリ、ランダムアクセスメモリ（ＲＡＭ）、及び／または、不揮発性メモリ等、例えば、読出し専用メモリ（ＲＯＭ）または（フラッシュＲＡＭ）のようなコンピュータ読み取り可能な媒体のものを含んでもよい。メモリは、コンピュータ可読媒体の例である。
【００７１】
コンピュータ可読媒体は、不揮発性及び揮発性媒体並びに移動可能及び移動不能媒体を含み、また、任意の方法または技術によって情報記憶を実装する可能性がある。情報は、コンピュータ可読命令、データ構造、及びプログラムまたは他のデータのモジュールであってよい。コンピュータの記憶媒体は、例えば、相変化メモリ（ＰＲＡＭ）、スタティックランダムアクセスメモリ（ＳＲＡＭ）、ダイナミックランダムアクセスメモリ（ＤＲＡＭ）、他のタイプのランダムアクセスメモリ（ＲＡＭ）、読出し専用メモリ（ＲＯＭ）、電気的消去可能プログラム可能読出し専用メモリ（ＥＥＰＲＯＭ）、フラッシュメモリまたは他のメモリ技術、コンパクトディスク読出し専用メモリ（ＣＤ−ＲＯＭ）、デジタル多用途ディスク（ＤＶＤ）または他の光学ストレージ、カセットテープ、磁気テープ／磁気ディスクストレージもしくは他の磁気記憶デバイス、または、任意の他の非伝送媒体を含むが、それに限定されず、コンピューティングデバイスによってアクセスされる情報を記憶するために使用される可能性がある。本テキストの規定によれば、コンピュータ可読媒体は、被変調データ信号及び搬送波等の一時的媒体を含まない。
【００７２】
用語「ｉｎｃｌｕｄｅ（含む）」、「ｃｏｍｐｒｉｓｅ（含む）」、またはその他の変形が、非網羅的なｉｎｃｌｕｄｉｎｇを包含することを意図するため、一連の要素を含むプロセス、方法、製品、またはデバイスが、それらの要素を含むだけでなく、明示的に挙げられない他の要素も含む、または、プロセス、方法、製品、またはデバイスの固有の要素を更に含むことが更に留意されるべきである。更なる制限なしで、「ｉｎｃｌｕｄｉｎｇ  ａ…」によって規定される要素は、その要素を含むプロセス、方法、製品、またはデバイスが、他の同一の要素を更に有することを排除しない。
【００７３】
先の説明は、本開示の例示的な実施形態に過ぎず、本開示を制限することを意図しない。本開示の精神及び原理から逸脱することなく行われるいずれの変更、等価な置換、及び改良も、本開示の保護範囲内に入るものとする。
【図１】
0006687628.tif 000002
【図２】
0006687628.tif 000003
【図３】
0006687628.tif 000004
【図４】
0006687628.tif 000005
【図５】
0006687628.tif 000006
【図６】
0006687628.tif 000007
【図７】
0006687628.tif 000008
【図８】
0006687628.tif 000009